(57)【特許請求の範囲】
【請求項１】
身体の一部に装着可能であって、認証部と、記憶部と、通信部と、表示入力部と、制御部と、を備えるウェアラブル端末であって、
前記認証部は、前記ウェアラブル端末と異なる他のウェアラブル端末を認証し、
前記記憶部は、それぞれ異なる複数のプログラムを記憶し、
前記通信部は、前記他のウェアラブル端末と通信し、且つ、前記認証部によって前記他のウェアラブル端末が認証された場合に前記他のウェアラブル端末に記憶されている少なくとも一のプログラムを示す他端末プログラム情報を前記他のウェアラブル端末から受信し、
前記表示入力部は、前記通信部が受信した前記他端末プログラム情報に基づいて、前記記憶部に記憶されている前記複数のプログラムのうち前記他のウェアラブル端末に記憶されている前記少なくとも一のプログラムと同一のプログラムに対応する画像であって、操作されることにより当該プログラムを起動するための画像を表示画面に表示し、且つ、当該表示画面に表示された前記画像に対する操作を受け付け、
前記制御部は、前記表示入力部が前記画像に対して操作を受け付けた場合、当該操作を受け付けた前記画像に対応する当該プログラムを起動し、且つ、前記通信部に、前記他のウェアラブル端末に対して当該プログラムに紐付けられている特定情報を送信させる、
ウェアラブル端末。
【請求項２】
さらに、
身体に接続する身体接続部を備え、
前記通信部は、
前記身体接続部を介し、人体を通信媒体として利用する通信である人体通信によって、前記他のウェアラブル端末と通信する第１の通信部と、
前記身体接続部を介さない無線通信によって、前記他のウェアラブル端末と通信する第２の通信部とを有し、
前記認証部は、前記第１の通信部によって前記他のウェアラブル端末と前記人体通信が接続された場合、前記他のウェアラブル端末を認証する、
請求項１に記載のウェアラブル端末。
【請求項３】
前記制御部は、前記第２の通信部に、前記他のウェアラブル端末に対して前記特定情報を送信させる、
請求項２に記載のウェアラブル端末。
【請求項４】
前記制御部は、前記第１の通信部に、前記他のウェアラブル端末に対して前記特定情報を送信させる、
請求項２に記載のウェアラブル端末。
【請求項５】
前記制御部は、前記特定情報の属性に基づいて、前記第１の通信部と前記第２の通信部とを切り替え、且つ、切り替えた前記第１の通信部または前記第２の通信部に、前記他のウェアラブル端末に対して前記特定情報を送信させる、
請求項２に記載のウェアラブル端末。
【請求項６】
前記属性は、データ容量であり、
前記制御部は、
前記特定情報のデータ容量が所定値以上の場合、前記第２の通信部に、前記他のウェアラブル端末に対して前記特定情報を送信させ、
前記特定情報のデータ容量が前記所定値未満の場合、前記第１の通信部に、前記他のウェアラブル端末に対して前記特定情報を送信させる、
請求項５に記載のウェアラブル端末。
【請求項７】
前記属性は、データ種別であり、
前記制御部は、
前記特定情報のデータ種別が、画像データ、音声データ、または、動画データの場合、前記第２の通信部に、前記他のウェアラブル端末に対して前記特定情報を送信させ、
前記特定情報のデータ種別が、アカウントデータ、プロフィールデータ、または、文章データの場合、前記第１の通信部に、前記他のウェアラブル端末に対して前記特定情報を送信させる、
請求項５に記載のウェアラブル端末。
【請求項８】
前記制御部は、前記人体通信が接続中の場合、前記通信部に、前記他のウェアラブル端末に対して前記特定情報を送信させる、
請求項３〜７のいずれか１項に記載のウェアラブル端末。
【請求項９】
前記制御部は、前記人体通信の接続中に、前記第１の通信部に、前記他のウェアラブル端末に対して前記特定情報の一部を送信させ、前記人体通信の接続の切断後、前記第２の通信部に、前記他のウェアラブル端末に対して前記特定情報の残りの情報を送信させる、
請求項３〜７のいずれか１項に記載のウェアラブル端末。
【請求項１０】
前記制御部は、前記人体通信の接続の切断後、かつ、前記他のウェアラブル端末から承認情報を受信した後に、前記第２の通信部に、前記他のウェアラブル端末に対して前記特定情報の残りの情報を送信させる、
請求項９に記載のウェアラブル端末。
【請求項１１】
前記記憶部は、前記特定情報として、前記複数のプログラムそれぞれに紐付けられている情報と、当該情報の送信可否とを記憶しており、
前記制御部は、前記通信部に、前記他のウェアラブル端末に対して前記記憶部により送信可能と記憶されている前記特定情報を送信させる、
請求項１に記載のウェアラブル端末。
【請求項１２】
前記特定情報は、アカウントデータ、プロフィールデータ、文章データ、画像データ、音声データ、および、動画データの少なくともいずれか１つである、
請求項１に記載のウェアラブル端末。
【請求項１３】
さらに、
前記ウェアラブル端末に対する第１動作を検知する検知部を備え、
前記通信部は、前記他のウェアラブル端末に対する第２動作を示す第２動作情報を受信し、
前記認証部は、前記通信部で受信した前記第２動作情報により示される前記第２動作と前記検知部により検知された前記第１動作とが同一の動作であると判定した場合、前記他のウェアラブル端末を認証する、
請求項１に記載のウェアラブル端末。
【請求項１４】
身体の一部に装着可能なウェアラブル端末の通信方法であって、
それぞれ異なる複数のプログラムが記憶部に記憶されており、
前記ウェアラブル端末と異なる他のウェアラブル端末を認証するための認証ステップと、
前記他のウェアラブル端末と通信するための通信ステップであって、前記認証ステップにおいて前記他のウェアラブル端末が認証された場合に前記他のウェアラブル端末に記憶
されている少なくとも一のプログラムを示す他端末プログラム情報を前記他のウェアラブル端末から受信する通信ステップと、
前記通信ステップにおいて受信された前記他端末プログラム情報に基づいて、前記記憶部に記憶されている前記複数のプログラムのうち前記他のウェアラブル端末に記憶されている前記少なくとも一のプログラムと同一のプログラムに対応する画像であって操作されることにより当該プログラムを起動するための画像を表示画面に表示し、当該表示画面に表示された前記画像に対する操作を受け付ける表示入力ステップと、
前記表示入力ステップにおいて前記画像に対して操作を受け付けた場合、当該操作を受け付けた前記画像に対応する当該プログラムを起動し、当該プログラムに紐付けられている特定情報を、前記通信ステップにおいて前記他のウェアラブル端末に対して送信させる制御を行う制御ステップと、を含む、
通信方法。
【請求項１５】
異なる複数のプログラムが記憶された記憶部を有し、身体の一部に装着可能なウェアラブル端末のコンピュータに実行させるためのプログラムであって、
前記ウェアラブル端末と異なる他のウェアラブル端末を認証するための認証ステップと、
前記他のウェアラブル端末と通信するための通信ステップであって、前記認証ステップにおいて前記他のウェアラブル端末が認証された場合に前記他のウェアラブル端末に記憶されている少なくとも一のプログラムを示す他端末プログラム情報を前記他のウェアラブル端末から受信する通信ステップと、
前記通信ステップにおいて受信された前記他端末プログラム情報に基づいて、前記記憶部に記憶されている前記複数のプログラムのうち前記他のウェアラブル端末に記憶されている前記少なくとも一のプログラムと同一のプログラムに対応する画像であって操作されることにより当該プログラムを起動するための画像を表示画面に表示し、当該表示画面に表示された前記画像に対する操作を受け付ける表示入力ステップと、
前記表示入力ステップにおいて前記画像に対して操作を受け付けた場合、当該操作を受け付けた前記画像に対応する当該プログラムを起動し、当該プログラムに紐付けられている特定情報を、前記通信ステップにおいて前記他のウェアラブル端末に対して送信させる制御を行う制御ステップとを含む、
プログラム。
【発明の詳細な説明】
【技術分野】
【０００１】
本発明は、ウェアラブル端末、その通信方法およびプログラムに関する。
【背景技術】
【０００２】
腕や頭部などのユーザの身体の一部に装着可能なウェアラブル端末が知られている。ウェアラブル端末は通信機能を備えており、スマートフォン等の通信端末と通信を行うことができる。
【０００３】
しかし、ウェアラブル端末がスマートフォン等の通信端末や他のウェアラブル端末と通信する場合、接続先の探索やペアリング等を行い、接続を確立する必要がある。そのため、ユーザは、探索やペアリングを行うための操作をウェアラブル端末に行う必要があり、手間であった。
【０００４】
例えば特許文献１には、付近にある通信端末を検知してペアリングする技術が開示されている。この技術を用いると、ウェアラブル端末がスマートフォンや他のウェアラブル端末と通信を行う場合に、接続先の探索やペアリングを行うための手間を不要とすることができる。
【先行技術文献】
【特許文献】
【０００５】
【特許文献１】特開２０１０−１３０６６９号公報
【発明の概要】
【発明が解決しようとする課題】
【０００６】
しかしながら、上記従来技術を用いて付近にある通信端末等を検知して接続を確立できるとしても、接続先の通信端末等とどんな情報をやり取りまたは交換ができるかはわからない。そのため、ユーザは事前に接続先の通信端末等を保有する他の人に確認する必要がある。さらに、やり取りまたは交換できる情報を確認できたとしても、確認できた情報を指定するなど複数の操作（複数ステップの操作）を行う必要がある。つまり、特許文献１に開示される技術を用いても、ウェアラブル端末と、スマートフォンなどの通信端末や他のウェアラブル端末との間で迅速な情報交換ができず、ユーザは自然且つ手間の少ない情報交換を行うことができないという問題がある。
【０００７】
本発明は、上記の問題点に着目したものであり、ユーザの手間を抑制し、迅速な情報交換を他のウェアラブル端末と行うことができるウェアラブル端末、その通信方法およびプログラムを提供することを目的とする。
【課題を解決するための手段】
【０００８】
本発明の一形態に係るウェアラブル端末は、身体の一部に装着可能であって、認証部と、記憶部と、通信部と、表示入力部と、制御部と、を備えるウェアラブル端末であって、前記認証部は、前記ウェアラブル端末と異なる他のウェアラブル端末を認証し、前記記憶部は、それぞれ異なる複数のプログラムを記憶し、前記通信部は、前記他のウェアラブル端末と通信し、且つ、前記認証部によって前記他のウェアラブル端末が認証された場合に前記他のウェアラブル端末に記憶されている少なくとも一のプログラムを示す他端末プログラム情報を前記他のウェアラブル端末から受信し、前記表示入力部は、前記通信部が受信した前記他端末プログラム情報に基づいて、前記記憶部に記憶されている前記複数のプログラムのうち前記他のウェアラブル端末に記憶されている前記少なくとも一のプログラムと同一のプログラムに対応する画像であって、操作されることにより当該プログラムを起動するための画像を表示画面に表示し、且つ、当該表示画面に表示された前記画像に対する操作を受け付け、前記制御部は、前記表示入力部が前記画像に対して操作を受け付けた場合、当該操作を受け付けた前記画像に対応する当該プログラムを起動し、且つ、前記通信部に、前記他のウェアラブル端末に対して当該プログラムに紐付けられている特定情報を送信させる。
【発明の効果】
【０００９】
本発明によれば、ユーザの手間を抑制し、迅速な情報交換を他のウェアラブル端末と行うことができるウェアラブル端末等を実現できる。
【図面の簡単な説明】
【００１０】
【図１】図１は、実施の形態におけるウェアラブル端末の外観例を示す図である。
【図２】図２は、実施の形態に係るウェアラブル端末の機能をソフトウェアにより実現するコンピュータのハードウェア構成の一例を示す図である。
【図３】図３は、実施の形態に係るウェアラブル端末の構成を示す機能ブロック図である。
【図４】図４は、実施の形態におけるアプリケーション毎の特定情報の一例を示す図である。
【図５】図５は、実施の形態に係るウェアラブル端末の動作例を示すフローチャートである。
【図６】図６は、実施例１に係るウェアラブル端末の構成を示す機能ブロック図である。
【図７Ａ】図７Ａは、実施例１に係るウェアラブル端末の使用場面の一例を示す図である。
【図７Ｂ】図７Ｂは、図７Ａに示す使用場面において、ウェアラブル端末と他のウェアラブル端末とが人体通信により接続される様子を模式的に示す図である。
【図８】図８は、実施例１に係るウェアラブル端末の動作の一例を示すフローチャートである。
【図９Ａ】図９Ａは、実施例１に係るウェアラブル端末の動作例を模式的に説明するための図である。
【図９Ｂ】図９Ｂは、実施例１に係るウェアラブル端末の動作例を模式的に説明するための図である。
【図９Ｃ】図９Ｃは、実施例１に係るウェアラブル端末の動作例を模式的に説明するための図である。
【図９Ｄ】図９Ｄは、実施例１に係るウェアラブル端末の動作例を模式的に説明するための図である。
【図１０】図１０は、図９Ｄの動作例におけるウェアラブル端末および他のウェアラブル端末の機能構成を示す図である。
【図１１】図１１は、実施例１に係るウェアラブル端末の別の動作例を示すシーケンス図である。
【図１２】図１２は、実施例１に係るウェアラブル端末のさらに別の動作例を示すシーケンス図である。
【図１３】図１３は、図１２に示すウェアラブル端末の動作例を示すフローチャートである。
【図１４】図１４は、実施例２に係るウェアラブル端末の構成を示す機能ブロック図である。
【図１５】図１５は、変形例に係るウェアラブル端末の動作例を示すシーケンス図である。
【発明を実施するための形態】
【００１１】
本発明の一態様に係るウェアラブル端末は、身体の一部に装着可能であって、認証部と、記憶部と、通信部と、表示入力部と、制御部と、を備えるウェアラブル端末であって、前記認証部は、前記ウェアラブル端末と異なる他のウェアラブル端末を認証し、前記記憶部は、それぞれ異なる複数のプログラムを記憶し、前記通信部は、前記他のウェアラブル端末と通信し、且つ、前記認証部によって前記他のウェアラブル端末が認証された場合に前記他のウェアラブル端末に記憶されている少なくとも一のプログラムを示す他端末プログラム情報を前記他のウェアラブル端末から受信し、前記表示入力部は、前記通信部が受信した前記他端末プログラム情報に基づいて、前記記憶部に記憶されている前記複数のプログラムのうち前記他のウェアラブル端末に記憶されている前記少なくとも一のプログラムと同一のプログラムに対応する画像であって、操作されることにより当該プログラムを起動するための画像を表示画面に表示し、且つ、当該表示画面に表示された前記画像に対する操作を受け付け、前記制御部は、前記表示入力部が前記画像に対して操作を受け付けた場合、当該操作を受け付けた前記画像に対応する当該プログラムを起動し、且つ、前記通信部に、前記他のウェアラブル端末に対して当該プログラムに紐付けられている特定情報を送信させる。
【００１２】
これにより、本態様のウェアラブル端末を装着するユーザは、接続先である他のウェアラブル端末に送信（他のウェアラブル端末とやりとりまたは交換）できる情報をすぐに把握することができ、少ない操作で情報を送信することができる。
【００１３】
このようにして、ウェアラブル端末を装着するユーザは自然且つ手間の少ない情報交換を他のウェアラブル端末を装着するユーザと行うことができる。
【００１４】
また、例えば、さらに、身体に接続する身体接続部を備え、前記通信部は、前記身体接続部を介し、人体を通信媒体として利用する通信である人体通信によって、前記他のウェアラブル端末と通信する第１の通信部と、前記身体接続部を介さない無線通信によって、前記他のウェアラブル端末と通信する第２の通信部とを有し、前記認証部は、前記第１の通信部によって前記他のウェアラブル端末と前記人体通信が接続された場合、前記他のウェアラブル端末を認証するとしてもよい。
【００１５】
これにより、人体通信を用いた接続が確立した場合に、本態様のウェアラブル端末および他のウェアラブル端末の認証を行うことができる。
【００１６】
また、例えば、前記制御部は、前記第２の通信部に、前記他のウェアラブル端末に対して前記特定情報を送信させるとしてもよい。
【００１７】
これにより、人体通信を用いて本態様のウェアラブル端末および他のウェアラブル端末の認証を行い、その後、特定情報の送信（またはやり取り）を第２の通信部にさせることができる。
【００１８】
また、例えば、前記制御部は、前記第１の通信部に、前記他のウェアラブル端末に対して前記特定情報を送信させるとしてもよい。
【００１９】
これにより、人体通信を用いて本態様のウェアラブル端末および他のウェアラブル端末の認証を行い、人体通信を用いて特定情報を送信（やり取り）することができる。
【００２０】
また、例えば、前記制御部は、前記特定情報の属性に基づいて、前記第１の通信部と前記第２の通信部とを切り替え、且つ、切り替えた前記第１の通信部または前記第２の通信部に、前記他のウェアラブル端末に対して前記特定情報を送信させるとしてもよい。
【００２１】
これにより、人体通信を用いて本態様のウェアラブル端末および他のウェアラブル端末の認証を行い、その後の特定情報の送信は、特定情報の属性に基づいて選択した第１の通信部または第２の通信部にさせることができる。
【００２２】
ここで、例えば、前記属性は、データ容量であり、前記制御部は、前記特定情報のデータ容量が所定値以上の場合、前記第２の通信部に、前記他のウェアラブル端末に対して前記特定情報を送信させ、前記特定情報のデータ容量が前記所定値未満の場合、前記第１の通信部に、前記他のウェアラブル端末に対して前記特定情報を送信させるとしてもよい。
【００２３】
これにより、特定情報のデータ容量が大きい場合には、第２の通信部を用いて特定情報を送信し、特定情報のデータ容量が小さい場合には、データ転送容量が限られる第１の通信部を用いて特定情報を送信することができる。
【００２４】
また、例えば、前記属性は、データ種別であり、前記制御部は、前記特定情報のデータ種別が、画像データ、音声データ、または、動画データの場合、前記第２の通信部に、前記他のウェアラブル端末に対して前記特定情報を送信させ、前記特定情報のデータ種別が、アカウントデータ、プロフィールデータ、または、文章データの場合、前記第１の通信部に、前記他のウェアラブル端末に対して前記特定情報を送信させるとしてもよい。
【００２５】
また、例えば、前記制御部は、前記人体通信が接続中の場合、前記通信部に、前記他のウェアラブル端末に対して前記特定情報を送信させるとしてもよい。
【００２６】
また、例えば、前記制御部は、前記人体通信の接続中に、前記第１の通信部に、前記他のウェアラブル端末に対して前記特定情報の一部を送信させ、前記人体通信の接続の切断後、前記第２の通信部に、前記他のウェアラブル端末に対して前記特定情報の残りの情報を送信させるとしてもよい。
【００２７】
また、例えば、前記制御部は、前記人体通信の接続の切断後、かつ、前記他のウェアラブル端末から承認情報を受信した後に、前記第２の通信部に、前記他のウェアラブル端末に対して前記特定情報の残りの情報を送信させるとしてもよい。
【００２８】
このようにして、他のウェアラブル端末に対して、特定情報の一部を人体通信で送信させ、特定情報の残りの情報を承認後に無線通信等で送信させることができる。それにより、他のウェアラブル端末のユーザは、特定情報の一部を人体通信で取得後、特定情報の残りの情報の取得を承認可否により選択することができる。
【００２９】
また、例えば、前記記憶部は、前記特定情報として、前記複数のプログラムそれぞれに紐付けられている情報と、当該情報の送信可否とを記憶しており、前記制御部は、前記通信部に、前記他のウェアラブル端末に対して前記記憶部により送信可能と記憶されている前記特定情報を送信させるとしてもよい。
【００３０】
このように、当該プログラムに紐付けられている特定情報を予め設定する。これにより、ユーザは、表示された画像に対してタップなどの操作をするだけで、当該プログラムに紐付けられている特定情報を他のウェアラブル端末に送信することができる。
【００３１】
また、例えば、前記特定情報は、アカウントデータ、プロフィールデータ、文章データ、画像データ、音声データ、および、動画データの少なくともいずれか１つであるとしてもよい。
【００３２】
また、例えば、さらに、前記ウェアラブル端末に対する第１動作を検知する検知部を備え、前記通信部は、前記他のウェアラブル端末に対する第２動作を示す第２動作情報を受信し、前記認証部は、前記通信部で受信した前記第２動作情報により示される前記第２動作と前記検知部により検知された前記第１動作とが同一の動作であると判定した場合、前記他のウェアラブル端末を認証するとしてもよい。
【００３３】
これにより、第１動作および第２動作として、お辞儀等の傾斜動作、ハグ動作、ハイタッチ動作、またはジェスチャー動作などの簡易な動作で、本態様のウェアラブル端末および他のウェアラブル端末の認証を行うことができる。
【００３４】
また、本発明の一態様に係る通信方法は、例えば、身体の一部に装着可能なウェアラブル端末の通信方法であって、それぞれ異なる複数のプログラムが記憶部に記憶されており、前記ウェアラブル端末と異なる他のウェアラブル端末を認証するための認証ステップと、前記他のウェアラブル端末と通信するための通信ステップであって、前記認証ステップにおいて前記他のウェアラブル端末が認証された場合に前記他のウェアラブル端末に記憶されている少なくとも一のプログラムを示す他端末プログラム情報を前記他のウェアラブル端末から受信する通信ステップと、前記通信ステップにおいて受信された前記他端末プログラム情報に基づいて、前記記憶部に記憶されている前記複数のプログラムのうち前記他のウェアラブル端末に記憶されている前記少なくとも一のプログラムと同一のプログラムに対応する画像であって操作されることにより当該プログラムを起動するための画像を表示画面に表示し、当該表示画面に表示された前記画像に対する操作を受け付ける表示入力ステップと、前記表示入力ステップにおいて前記画像に対して操作を受け付けた場合、当該操作を受け付けた前記画像に対応する当該プログラムを起動し、当該プログラムに紐付けられている特定情報を、前記通信ステップにおいて前記他のウェアラブル端末に対して送信させる制御を行う制御ステップと、を含む。
【００３５】
なお、以下で説明する実施の形態は、いずれも本発明の一具体例を示すものである。以下の実施の形態で示される数値、形状、構成要素、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。また全ての実施の形態において、各々の内容を組み合わせることもできる。
【００３６】
（実施の形態）
以下、本発明の一態様に係るウェアラブル端末１０について説明する。
【００３７】
［ウェアラブル端末１０の外観例］
図１は、本実施の形態におけるウェアラブル端末１０の外観例を示す図である。図１には、バンド型（腕時計型）の機器としてのウェアラブル端末１０の外観例が示されている。
【００３８】
なお、ウェアラブル端末１０は、バンド型（腕時計型）の機器である場合に限らない。メガネ型の機器であってもよく、ヘッドマウント型の機器であってもよい。つまり、ウェアラブル端末１０は、ユーザの身体の一部に装着可能な機器であり、以下で説明する機能構成を備えればどのようなものであってもよい。
【００３９】
［ウェアラブル端末１０の構成］
以下では、まず、図２を用いてウェアラブル端末１０のハードウェア構成の一例について説明し、次に、図３を用いてウェアラブル端末１０の各機能構成の一例について説明する。
【００４０】
図２は、本実施の形態に係るウェアラブル端末１０の機能をソフトウェアにより実現するコンピュータのハードウェア構成の一例を示す図である。
【００４１】
ウェアラブル端末１０は、図２に示すように、入力装置１００１、出力装置１００２、ＣＰＵ１００３、内蔵ストレージ１００４、ＲＡＭ１００５、読取装置１００７、送受信装置１００８およびバス１００９を備えるコンピュータである。入力装置１００１、出力装置１００２、ＣＰＵ１００３、内蔵ストレージ１００４、ＲＡＭ１００５、読取装置１００７および送受信装置１００８は、バス１００９により接続される。
【００４２】
入力装置１００１は、入力ボタン、タッチパッド、タッチパネルディスプレイなどといったユーザインタフェースとなる装置であり、ユーザの操作を受け付ける。なお、入力装置１００１は、ユーザの接触操作を受け付ける他、音声での操作、リモコン等での遠隔操作を受け付ける構成であってもよい。
【００４３】
内蔵ストレージ１００４は、フラッシュメモリなどである。内蔵ストレージ１００４は、ウェアラブル端末１０の各機能構成を実現するためのプログラムや通信端末の各機能構成を利用した機能を発揮するアプリケーションが、予め記憶されているとしてもよい。
【００４４】
ＲＡＭ１００５は、Random Access Memoryであり、プログラムやアプリケーションの実行に際してデータ等の記憶に利用される。
【００４５】
読取装置１００７は、ＵＳＢ（Universal Serial Bus）メモリなどの記録媒体から情報を読み取る。読取装置１００７は、上記のようなプログラムやアプリケーションが記録された記録媒体からそのプログラムやアプリケーションを読み取り、内蔵ストレージ１００４に記憶させる。
【００４６】
送受信装置１００８は、無線又は有線で通信を行うための通信回路である。送受信装置１００８は、例えばネットワークに接続されたサーバ装置と通信を行い、サーバ装置から上記のようなプログラムやアプリケーションをダウンロードして内蔵ストレージ１００４に記憶させる。
【００４７】
ＣＰＵ１００３は、Central Processing Unitであり、内蔵ストレージ１００４に記憶されたプログラムやアプリケーションをＲＡＭ１００５にコピーし、そのプログラムやアプリケーションに含まれる命令をＲＡＭ１００５から順次読み出して実行する。
【００４８】
次に、図３を用いてウェアラブル端末１０の各機能構成要素について説明する。
【００４９】
図３は、本実施の形態に係るウェアラブル端末１０の構成を示す機能ブロック図である。
【００５０】
ウェアラブル端末１０は、ユーザの身体の一部に装着可能なウェアラブル端末であって、bluetooth（登録商標）、wifiなどの無線通信ネットワークや人体通信などにより他のウェアラブル端末１１と接続可能である。なお、人体通信とは、誘電体である人体の身体の表面層に信号を与えて行う通信であってもよく、誘電体である人体の身体の表面に発生する電界に信号を与えて行う通信であってもよい。つまり、人体通信とは、人体を通信媒体として利用する通信である。
【００５１】
本実施の形態では、ウェアラブル端末１０は、図３に示されるように、制御部１０１と、認証部１０２と、記憶部１０３と、通信部１０４と、表示入力部１０５とを備える。
【００５２】
認証部１０２は、ＣＰＵ１００３、内蔵ストレージ１００４および送受信装置１００８などで実現され、ウェアラブル端末１０（自端末）と異なる他のウェアラブル端末１１を認証するための機能を有する。なお、他のウェアラブル端末１１は、ウェアラブル端末１０と同様の構成および動作を行う機能を有するので、説明は省略する。
【００５３】
ここで、例えば、認証部１０２は、他のウェアラブル端末１１の所定動作情報とウェアラブル端末１０（自端末）に対する所定動作とが同動作である場合、他のウェアラブル端末１１を認証してもよい。また、例えば、認証部１０２は、他のウェアラブル端末１１と人体通信が接続された場合、他のウェアラブル端末１１を認証してもよい。なお、詳細は後述する。
【００５４】
記憶部１０３は、内蔵ストレージ１００４などで実現され、それぞれ異なる複数のプログラムを記憶する。当該複数のプログラムはそれぞれウェアラブル端末１０（自端末）に導入（インストール）され、記憶されているとしてもよい。なお、記憶部１０３は、さらに、特定情報として、複数のプログラムそれぞれに紐付けられている情報と、当該情報の送信可否とを記憶しているとしてもよい。また、記憶部１０３は、アカウントとパスワードなど通信部１０４と接続するために必要な情報である認証情報を記憶しているとしてもよい。
【００５５】
通信部１０４は、ＣＰＵ１００３および送受信装置１００８等により実現され、他のウェアラブル端末１１と通信する機能を有する。通信部１０４は、認証部１０２によって他のウェアラブル端末１１が認証された場合に他のウェアラブル端末１１に記憶されている少なくとも一のプログラムを示す他端末プログラム情報を他のウェアラブル端末１１から受信する。本実施の形態では、他端末プログラム情報は、他のウェアラブル端末１１に記憶（導入）されているアプリケーションの名称や識別番号などのアプリ情報を示し、当該アプリケーションのアカウント情報を含んでいてもよい。
【００５６】
また、通信部１０４は、制御部１０１に制御され、特定情報を送信する。なお、通信部１０４は、認証部１０２が他のウェアラブル端末１１の所定動作情報に基づいて認証する場合には、他のウェアラブル端末の所定動作情報を受信するとしてもよい。また、通信部１０４は、特定情報とともに、記憶部１０３に記憶されている認証情報を送信するとしてもよい。
【００５７】
表示入力部１０５は、ＣＰＵ１００３および出力装置１００２等により実現される。表示入力部１０５は、通信部１０４で受信された他端末プログラム情報に基づいて、記憶部１０３に記憶されている複数のプログラムのうち他のウェアラブル端末１１に記憶（または導入）されている少なくとも一のプログラムと同一のプログラムに対応する画像であって操作されることにより当該プログラムを起動するための画像を表示画面に表示する。また、表示入力部１０５は、当該表示画面に表示された画像に対する操作を受け付ける。ここで、当該プログラムを起動するための画像は、例えばプログラムを小さな画像で表現されたアイコンである。
【００５８】
制御部１０１は、ＣＰＵ１００３、内蔵ストレージ１００４、およびＲＡＭ１００５等により実現され、認証部１０２と、記憶部１０３と、通信部１０４と、表示入力部１０５を制御する。制御部１０１は、表示入力部１０５が当該画像に対して操作を受け付けた場合、当該操作を受け付けた当該画像に対応する当該プログラムを起動し、当該プログラムに紐付けられている特定情報を、通信部１０４に他のウェアラブル端末１１に対して送信させる制御を行う。本実施の形態では、特定情報は、例えば、当該プログラムのアカウントデータ、ユーザのプロフィールデータ、ならびに、当該プログラムで作成または保存されている文章データ、画像データ、音声データ、および、動画データの少なくともいずれか１つである。
【００５９】
また、制御部１０１は、通信部１０４に、記憶部１０３により送信可能と記憶されている特定情報を他のウェアラブル端末１１に対して送信させる。なお、制御部１０１は、通信部１０４に、特定情報とともに、記憶部１０３に記憶されている認証情報を送信させるとしてもよい。
【００６０】
ここで、図４を用いて、記憶部１０３に記憶されている特定情報の一例について説明する。図４は、本実施の形態におけるアプリケーション毎の特定情報の一例を示す図である。
【００６１】
本実施の形態では、ウェアラブル端末１０には、少なくともアプリＡおよびアプリＢの複数のアプリケーションが記憶（導入）されている。図４に示される例では、特定情報は、アプリのアカウントデータとその他データである。例えば、アプリＡでは、プロフィール画像、アルバム写真、自己紹介文（テキスト）のうち、プロフィール画像およびアルバム写真が事前にユーザに許可された送信可能な特定情報である。また、図４では、アプリＡのアカウントデータ「Ａｂｃｄｅ」は、プロフィール画像またはアルバム写真とともに送信される特定情報として示されている。また、例えば、アプリＢでは、電話番号、Ｅメールアドレス、住所、動画のうち、電話番号および住所が事前にユーザに許可された送信可能な特定情報である。また、図４では、アプリＢのアカウントデータ「ｖｗｘｙｚ」は、電話番号または住所とともに送信される特定情報として示されている。
【００６２】
［ウェアラブル端末１０の動作］
次に、以上のように構成されるウェアラブル端末１０の動作例を、図５を用いて説明する。
【００６３】
図５は、本実施の形態に係るウェアラブル端末１０の動作例を示すフローチャートである。以下、図５に即してウェアラブル端末１０の動作を説明する。
【００６４】
まず、ウェアラブル端末１０は、他のウェアラブル端末１１を認証した場合（Ｓ１でＹＥＳ）、他のウェアラブル端末１１に記憶（導入）されている少なくとも一のプログラムを示す他端末プログラム情報を他のウェアラブル端末１１から受信する（Ｓ２）。ここで、他端末プログラム情報は、他のウェアラブル端末１１に記憶（導入）されているアプリケーションの情報（アプリ情報）を含む。他端末プログラム情報は、上述したように、さらに当該アプリケーションのアカウント情報を含んでいてもよい。
【００６５】
次に、ウェアラブル端末１０は、Ｓ２で受信した他端末プログラム情報に基づいて、記憶部１０３に記憶されている複数のプログラムのうち他のウェアラブル端末１１に記憶（導入）されている少なくとも一のプログラムと同一のプログラムが有るかどうかを判定する（Ｓ３）。
【００６６】
Ｓ３において、同一のプログラムが有った場合（Ｓ３でＹＥＳ）、複数のプログラムのうち当該同一のプログラムに対応する画像であって操作されることにより当該同一のプログラムを起動するための画像を表示画面に表示する（Ｓ４）。一方、Ｓ３において、同一のプログラムがなかった場合（Ｓ３でＮＯ）、ウェアラブル端末１０は、処理を終了する。なお、同一のプログラムがなかったことを示す画像を表示画面に表示してもよい。
【００６７】
次に、ウェアラブル端末１０は、当該表示画面に表示された上記画像に対する操作を受け付けた場合には（Ｓ５でＹＥＳ）、当該操作を受け付けた画像に対応する当該プログラムを起動し、当該プログラムに紐付けられている特定情報を、他のウェアラブル端末１１に対して送信する（Ｓ６）。
【００６８】
（実施例１）
以下では、ウェアラブル端末１０の一実施例として、人体通信などにより他のウェアラブル端末１１Ａと接続可能であるウェアラブル端末１０Ａの構成および動作について説明する。なお、他のウェアラブル端末１１Ａは、ウェアラブル端末１０Ａと同様の構成および動作を行う機能を有するので、説明は省略する。
【００６９】
［ウェアラブル端末１０Ａの構成］
まず、図６を用いてウェアラブル端末１０Ａの各機能構成要素について説明する。
【００７０】
図６は、実施例１に係るウェアラブル端末１０Ａの構成を示す機能ブロック図である。図３と同様の要素には同一の符号を付しており、詳細な説明は省略する。図７Ａは実施例１に係るウェアラブル端末の使用場面の一例を示す図であり、図７Ｂは、図７Ａに示す使用場面において、ウェアラブル端末１０Ａと他のウェアラブル端末１１Ａとが人体通信により接続される様子を模式的に示す図である。
【００７１】
図６に示すように、ウェアラブル端末１０Ａは、制御部１０１Ａと、認証部１０２Ａと、記憶部１０３と、通信部１０４Ａと、表示入力部１０５と、身体接続部１０６とを備える。図６に示すウェアラブル端末１０Ａは、図３に示すウェアラブル端末１０に対して、身体接続部１０６が追加されており、制御部１０１Ａ、認証部１０２Ａおよび通信部１０４Ａの構成が異なる。
【００７２】
身体接続部１０６は、ＣＰＵ１００３および送受信装置１００８などで実現され、身体に接続するためのインタフェースである。例えば、身体接続部１０６は、人体の身体の表面層に接続することで、人体通信の接続を行うことができる。図７Ｂに示す例では、身体接続部１０６は、ウェアラブル端末１０Ａの裏面に構成されており、人体の腕の表皮と接触（または近接）することで、人体通信の接続を行うことができる。
【００７３】
通信部１０４Ａは、図６に示すように、第１の通信部１０４１と第２の通信部１０４２とを備える。
【００７４】
第１の通信部１０４１は、身体接続部１０６を介した人体通信であって人体を通信媒体として利用する通信である人体通信によって他のウェアラブル端末１１Ａと通信する。図７Ｂでは、第１の通信部１０４１は、異なる人体が握手することにより、人体通信によって他のウェアラブル端末１１Ａと通信することができる例が示されている。
【００７５】
第２の通信部１０４２は、身体接続部１０６を介さない無線通信によって他のウェアラブル端末１１Ａと通信する。ここで、無線通信は、例えばbluetooth（登録商標）、wifiなどの無線通信ネットワークを介して行われる。
【００７６】
認証部１０２Ａは、認証部１０２の機能を備える。本実施例では、認証部１０２Ａは、第１の通信部１０４１によって他のウェアラブル端末１１Ａと人体通信が接続された場合、他のウェアラブル端末１１Ａを認証する。図７Ｂに示す例では、認証部１０２Ａは、異なる人体が握手することにより、第１の通信部１０４１によって他のウェアラブル端末１１Ａと人体通信が接続されるので、当該人体通信が接続されたことにより他のウェアラブル端末１１Ａを認証する。
【００７７】
制御部１０１Ａは、制御部１０１の機能を備え、認証部１０２Ａと、記憶部１０３と、通信部１０４Ａと、表示入力部１０５と、身体接続部１０６とを制御する。
【００７８】
本実施例では、制御部１０１Ａは、第１の通信部１０４１に、特定情報を、他のウェアラブル端末１１Ａに対して送信させる。ここで、制御部１０１Ａは、人体通信が接続中の場合、通信部１０４Ａに特定情報を他のウェアラブル端末１１Ａに対して送信させるとしてもよい。
【００７９】
なお、制御部１０１Ａは、第２の通信部１０４２に、特定情報を、他のウェアラブル端末１１Ａに対して送信させるとしてもよい。また、制御部１０１Ａは、人体通信の接続中に、第１の通信部１０４１に特定情報の一部を他のウェアラブル端末１１Ａに対して送信させるとしてもよい。この場合、制御部１０１Ａは、人体通信の接続の切断後または他のウェアラブル端末１１Ａにより承認された場合（承認情報を受信した場合）、第２の通信部１０４２に特定情報の残りの情報を他のウェアラブル端末１１Ａに対して送信させる。
【００８０】
また、制御部１０１Ａは、特定情報の属性に基づき第１の通信部１０４１と第２の通信部１０４２とを切り替えて、切り替えた第１の通信部１０４１または第２の通信部１０４２に特定情報を他のウェアラブル端末１１Ａに対して送信させるとしてもよい。例えば、属性がデータ容量である場合には、制御部１０１Ａは、特定情報のデータ容量が所定値以上の場合、第２の通信部１０４２に特定情報を他のウェアラブル端末１１Ａに対して送信させ、特定情報のデータ容量が所定値未満の場合、第１の通信部１０４１に特定情報を他のウェアラブル端末に対して送信させればよい。ここで、データ容量の所定値は、例えば１ｋｂｙｔｅなど数十ｋｂｙｔｅ以下で定められる値である。人体通信を用いた場合のデータ転送容量は限られるからである。なお、特定情報の属性に限らず、特定情報に含まれるデータの種別に応じて、切り替えるとしてもよい。例えば、特定情報に含まれるデータがアドレスの場合には、第１の通信部１０４１にアドレスを示す特定情報を他のウェアラブル端末１１Ａに対して送信させ、特定情報に含まれるデータが画像の場合には第２の通信部１０４２に画像を示す特定情報を他のウェアラブル端末１１Ａに対して送信させるとしてもよい。
【００８１】
［ウェアラブル端末１０Ａの動作］
次に、以上のように構成されるウェアラブル端末１０Ａの動作例を、図８〜図１３を用いて説明する。
【００８２】
図８は、実施例１に係るウェアラブル端末１０Ａの動作の一例を示すフローチャートである。図９Ａ〜図９Ｄは、ウェアラブル端末１０Ａの動作例を模式的に説明するための図である。なお、図８に示すＳ１２〜Ｓ１６は、図５に示すＳ２〜Ｓ６と同様の処理であり、図８に示すＳ１１の処理は、図５に示すＳ１の一具体例の処理である。また、図１０は、図９Ｄの動作例におけるウェアラブル端末１０Ａおよび他のウェアラブル端末１１Ａの機能構成を示す図である。図６と同様の要素には同一の符号を付しており、詳細な説明は省略する。
【００８３】
ウェアラブル端末１０Ａは、他のウェアラブル端末１１Ａと人体通信が接続されたか否かを検出している（Ｓ１１）。
【００８４】
次に、ウェアラブル端末１０Ａは、他のウェアラブル端末１１Ａと人体通信が接続されたことを検出した場合（Ｓ１１でＹＥＳ）、他のウェアラブル端末１１Ａを認証する。例えば図９Ａに示す例では、異なる人体が握手することにより、ウェアラブル端末１０Ａと他のウェアラブル端末１１Ａとの間で人体通信が接続される。このようにして、人体通信を用いた接続が確立した場合に、ウェアラブル端末１０Ａおよび他のウェアラブル端末１１Ａの認証が行われる。なお、ウェアラブル端末１０Ａは、他のウェアラブル端末１１Ａと人体通信が接続されたことを検出しない場合には（Ｓ１１でＮＯ）、検出するまでＳ１１の処理を繰り返す。
【００８５】
次に、ウェアラブル端末１０Ａは、他のウェアラブル端末１１Ａに記憶（導入）されている少なくとも一のプログラムを示す他端末プログラム情報を他のウェアラブル端末１１Ａから受信する（Ｓ１２）。
【００８６】
次に、ウェアラブル端末１０は、Ｓ１２で受信した他端末プログラム情報に基づいて、記憶部１０３に記憶されている複数のプログラムのうち他のウェアラブル端末１１Ａに記憶（導入）されている少なくとも一のプログラムと同一のプログラムが有るかどうかを判定する（Ｓ１３）。なお、Ｓ１３において、同一のプログラムがなかった場合（Ｓ３でＮＯ）、ウェアラブル端末１０は、処理を終了する。
【００８７】
Ｓ１３において、同一のプログラムが有った場合（Ｓ１３でＹＥＳ）、複数のプログラムのうち当該同一のプログラムに対応する画像であって操作されることにより当該同一のプログラムを起動するための画像を表示画面に表示する（Ｓ１４）。具体例について、図９Ｂに示す例で説明する。人体通信が接続された他のウェアラブル端末１１Ａから他端末プログラム情報および他のウェアラブル端末１１Ａの識別情報を受信し、ウェアラブル端末１０Ａと他のウェアラブル端末１１Ａとで同一のプログラムが記憶（導入）されている場合には、当該同一のプログラムに対応する画像として当該同一のプログラムのアイコンを表示する。図９Ｂでは、ウェアラブル端末１０Ａと他のウェアラブル端末１１Ａとで同一のプログラムが４つ記憶（導入）されているとして、４つのアイコン（アイコン１０５１、アイコン１０５２、アイコン１０５３、アイコン１０５４）がウェアラブル端末１０Ａの表示入力部１０５に示されている。
【００８８】
次に、ウェアラブル端末１０Ａは、当該表示画面に表示された画像に対する操作を受け付けた場合には（Ｓ１５でＹＥＳ）、当該操作を受け付けた画像に対応する当該プログラムを起動し、当該プログラムに紐付けられている特定情報を、他のウェアラブル端末１１Ａに対して送信する（Ｓ１６）。
【００８９】
具体例について、図９Ｃおよび図９Ｄを用いて説明する。図９Ｃでは、ウェアラブル端末１０Ａの表示入力部１０５に表示されている４つのアイコン（アイコン１０５１〜１０５４）のうちアイコン１０５２に対して、ユーザにより選択またはタップなどの操作が行われている。そして、図９Ｄでは、当該操作により、アイコン１０５２に対応するプログラムが起動され、当該プログラムに紐付けられている特定情報を、人体通信または無線通信で他のウェアラブル端末１１Ａに対して送信される様子が示されている。ここで、人体通信は、図１０に示すように、ウェアラブル端末１０Ａおよび他のウェアラブル端末１１Ａにおいて、身体接続部１０６を介した第１の通信部１０４１同士の通信により実現される。無線通信は、図１０に示すように、ウェアラブル端末１０Ａおよび他のウェアラブル端末１１Ａにおいて、例えばbluetooth（登録商標）、wifiなどのネットワーク１３を介した第２の通信部１０４２同士の通信により実現される。
【００９０】
このように、ウェアラブル端末１０Ａが他のウェアラブル端末１１Ａを認証した場合には、他のウェアラブル端末１１Ａに記憶または導入（インストール）され、かつ、ウェアラブル端末１０Ａに記憶または導入されているプログラム（アプリ）に対応する画像が表示されるので、ユーザは、表示された画像に対してタップなどの操作をするだけで、当該プログラムに紐付けられている特定情報を他のウェアラブル端末に送信することができる。つまり、ウェアラブル端末１０Ａを装着するユーザは、接続先である他のウェアラブル端末１１Ａに送信（他のウェアラブル端末１１Ａとやりとりまたは交換）できる情報をすぐに把握することができ、少ない操作で、情報を送信することができる。
【００９１】
このようにして、ウェアラブル端末１０Ａを装着するユーザは自然且つ手間の少ない情報交換を他のウェアラブル端末１１Ａを装着するユーザと行うことができる。
【００９２】
なお、図８を用いて説明した動作例として、ウェアラブル端末１０Ａは、第１の通信部１０４１または第２の通信部１０４２を用いて、特定情報を、他のウェアラブル端末１１Ａに対して送信する場合の例について説明したが、これに限らない。上述したように、ウェアラブル端末１０Ａは、特定情報の属性に基づいて第１の通信部１０４１と第２の通信部１０４２とを切り替えて他のウェアラブル端末１１Ａに送信させてもよい。また、ウェアラブル端末１０Ａは、第１の通信部１０４１に特定情報の一部の情報を、第２の通信部１０４２に特定情報の残りの情報を他のウェアラブル端末１１Ａに対して送信させてもよい。
【００９３】
以下、まず、図１１を用いて、特定情報の属性が特定情報のデータ容量である場合に第１の通信部１０４１と第２の通信部１０４２とを切り替えて他のウェアラブル端末１１Ａに送信させる動作例について説明する。
【００９４】
図１１は、本実施例に係るウェアラブル端末１０Ａの別の動作例を示すシーケンス図である。なお、図８と同様の要素には同一の符号を付しており、詳細な説明は省略する。つまり、Ｓ１１〜Ｓ１５は、図８で説明した通りであるので説明を省略する。
【００９５】
Ｓ１５において、ウェアラブル端末１０Ａは、当該表示画面に表示された画像に対する操作を受け付けた場合には（Ｓ１５でＹＥＳ）、当該操作を受け付けた画像に対応する当該プログラムを起動し、当該プログラムに紐付けられている特定情報を他のウェアラブル端末１１Ａに対して送信する特定情報送信処理を実行する（Ｓ２６）。
【００９６】
より詳細には、Ｓ２６において、まず、ウェアラブル端末１０Ａは、当該特定情報のデータ容量が所定値以上か否かを判定する（Ｓ２６１）。次いで、ウェアラブル端末１０Ａは、当該特定情報のデータ容量が所定値以上の場合（Ｓ２６１でＹＥＳ）、第２の通信部１０４２に特定情報を他のウェアラブル端末１１Ａに対して送信させる（Ｓ２６２）。一方、ウェアラブル端末１０Ａは、当該特定情報のデータ容量が所定値未満の場合（Ｓ２６１でＮＯ）、第１の通信部１０４１に特定情報を他のウェアラブル端末１１Ａに対して送信させる（Ｓ２６３）。
【００９７】
このように、特定情報のデータ容量に応じて、他のウェアラブル端末１１Ａに対して送信させる通信手段を切り替えることで、データ容量に適した通信手段で特定情報を他のウェアラブル端末１１Ａに送信することができる。第１の通信部１０４１を用いた人体通信によるデータ転送容量は限られているからである。
【００９８】
次に、図１２および図１３を用いて、第１の通信部１０４１が特定情報の一部の情報を、第２の通信部１０４２が特定情報の残りの情報を他のウェアラブル端末１１Ａに送信する場合の動作例について説明する。
【００９９】
図１２は、本実施例に係るウェアラブル端末１０Ａのさらに別の動作例を示すシーケンス図である。図１３は、図１２に示すウェアラブル端末１０Ａの動作例を示すフローチャートである。なお、図８と同様の要素には同一の符号を付しており、詳細な説明は省略する。つまり、Ｓ１１〜Ｓ１５は、図８で説明した通りであるので説明を省略する。
【０１００】
Ｓ１５において、ウェアラブル端末１０Ａは、当該表示画面に表示された画像に対する操作を受け付けた場合には（Ｓ１５でＹＥＳ）、当該操作を受け付けた画像に対応する当該プログラムを起動し、当該プログラムに紐付けられている特定情報を他のウェアラブル端末１１Ａに対して送信する特定情報送信処理を実行する（Ｓ３６）。
【０１０１】
より詳細には、Ｓ３６において、まず、ウェアラブル端末１０Ａは、当該特定情報のデータ容量が所定値以上か否かを判定する（Ｓ２６１）。次いで、ウェアラブル端末１０Ａは、第１の通信部１０４１に特定情報の一部を他のウェアラブル端末１１Ａに対して送信させる（Ｓ３６１）。次いで、他のウェアラブル端末１１Ａは、自身の第１の通信部１０４１で当該特定情報の一部を受信すると、当該特定情報の残りの情報を自身の第２の通信部１０４２で受信すること承認するか否かを他のウェアラブル端末１１Ａのユーザに確認する（Ｓ３６２）。他のウェアラブル端末１１Ａのユーザが承認した場合（Ｓ３６２でＹＥＳ）、人体通信により、他のウェアラブル端末１１Ａのユーザが承認した旨を示す承認情報を送信する（Ｓ３６３）。次いで、ウェアラブル端末１０Ａは、当該承認情報を受信すると（Ｓ３６４でＹＥＳ）、第２の通信部１０４２に特定情報の残りの情報を他のウェアラブル端末１１Ａに対して送信させる（Ｓ３６５）。
【０１０２】
なお、特定情報の残りの情報を第２の通信部１０４２で送信する場合には、承認情報に、他のウェアラブル端末１１Ａの第２の通信部１０４２で通信するためのアカウントとパスワードなど接続の確立に必要な情報である認証情報を含めればよい。
【０１０３】
なお、上記例では、特定情報の残りの情報を第２の通信部１０４２で送信するとして説明したが、第１の通信部１０４１つまり人体通信で送信するとしてもよい。
【０１０４】
このようにして、他のウェアラブル端末１１Ａに対して、特定情報の一部を人体通信で送信し、特定情報の残りの情報を承認後に無線通信等で送信させることができる。より具体的には、制御部１０１Ｂは、人体通信の接続の切断後、かつ、他のウェアラブル端末１１Ａから承認情報を受信した後に、第２の通信部１０４２に特定情報の残りの情報を他のウェアラブル端末１１Ａに対して送信させることができる。
【０１０５】
これにより、他のウェアラブル端末１１Ａのユーザは、特定情報の一部を人体通信で取得後、特定情報の残りの情報の取得を承認可否により選択することができる。
【０１０６】
（実施例２）
続いて、ウェアラブル端末１０の一実施例として、人体通信を用いないウェアラブル端末１０Ｂの構成について説明する。
【０１０７】
［ウェアラブル端末１０Ｂの構成］
図１４は、実施例２に係るウェアラブル端末１０Ｂの構成を示す機能ブロック図である。図３および図６と同様の要素には同一の符号を付しており、詳細な説明は省略する。
【０１０８】
図１４に示すように、ウェアラブル端末１０Ｂは、制御部１０１Ｂと、認証部１０２Ｂと、記憶部１０３と、通信部１０４Ｂと、表示入力部１０５と、検知部１０７とを備える。図１４に示すウェアラブル端末１０Ｂは、図３に示すウェアラブル端末１０に対して、検知部１０７が追加されており、制御部１０１Ｂ、認証部１０２Ｂおよび通信部１０４Ｂの構成が異なる。
【０１０９】
検知部１０７は、ＣＰＵ１００３および送受信装置１００８などで実現され、ウェアラブル端末１０Ｂに対する第１動作を検知する機能を有する。例えば、検知部１０７は、モーションセンサや加速度センサを有し、ウェアラブル端末１０Ｂの傾きを示す値や加速度を示す値等に基づいて、第１動作としてウェアラブル端末１０Ｂに対して行われた上下運動や、ウェアラブル端末１０Ｂを装着したユーザのお辞儀等の傾斜動作、ハグ動作、ハイタッチ動作、ジェスチャー動作等を検知するとしてもよい。
【０１１０】
通信部１０４Ｂは、通信部１０４の機能を備える。本実施例では、通信部１０４Ｂは、他のウェアラブル端末１１Ｂに対する第２動作を示す第２動作情報を受信する。なお、他のウェアラブル端末１１Ｂは、ウェアラブル端末１０Ｂと同様の構成および動作を行う機能を有するので、説明は省略する。
【０１１１】
認証部１０２Ｂは、認証部１０２の機能を備える。本実施例では、認証部１０２Ｂは、通信部１０４Ｂで受信した第２動作情報により示される第２動作と検知部１０７により検知された第１動作とが同一の動作であると判定した場合、他のウェアラブル端末１１Ｂを認証する。具体的には、検知部１０７が検知したウェアラブル端末１０Ｂの加速度を示す値と、第２動作情報に含まれるウェアラブル端末１１Ｂの傾きを示す値とが、所定範囲内に含まれる場合、第１動作と第２動作とは同一の動作であると判定してもよい。判定に用いる値は、ウェアラブル端末１０Ｂの傾きを示す値やその他検知部１０７が検知する値であってもよく、これらの例に限られない。
【０１１２】
これにより、第１動作および第２動作として、お辞儀等の傾斜動作、ハグ動作、ハイタッチ動作、またはジェスチャー動作などの簡易な動作で、ウェアラブル端末１０Ｂおよび他のウェアラブル端末１１Ｂの認証を行うことができる。
【０１１３】
制御部１０１Ｂは、制御部１０１の機能を備え、認証部１０２Ｂと、記憶部１０３と、通信部１０４Ｂと、表示入力部１０５と、検知部１０７とを制御する。本実施例では、制御部１０１Ｂは、通信部１０４Ｂに、特定情報を、他のウェアラブル端末１１Ｂに対して送信させる。また、制御部１０１Ｂは、他のウェアラブル端末１１Ｂに自端末（ウェアラブル端末１０Ｂ）を認証させるために、検知部１０７で検知されたウェアラブル端末１０Ｂに対する第１動作を示す第１動作情報を送信する。
【０１１４】
なお、以上のように構成されるウェアラブル端末１０Ｂの動作については、図５のＳ１において、ウェアラブル端末１０Ｂに対する第１動作およびウェアラブル端末１１Ｂに対する第２動作を用いて認証した後は、図５のＳ２〜Ｓ６で説明したのと同様であり、説明を省略する。
【０１１５】
［効果等］
上述したように、本発明の一態様に係るウェアラブル端末は、身体の一部に装着可能であって、認証部と、記憶部と、通信部と、表示入力部と、制御部と、を備えるウェアラブル端末である。前記認証部は、前記ウェアラブル端末と異なる他のウェアラブル端末を認証し、前記記憶部は、それぞれ異なる複数のプログラムを記憶し、前記通信部は、前記他のウェアラブル端末と通信し、且つ、前記認証部によって前記他のウェアラブル端末が認証された場合に前記他のウェアラブル端末に記憶されている少なくとも一のプログラムを示す他端末プログラム情報を前記他のウェアラブル端末から受信し、前記表示入力部は、前記通信部が受信した前記他端末プログラム情報に基づいて、前記記憶部に記憶されている前記複数のプログラムのうち前記他のウェアラブル端末に記憶されている前記少なくとも一のプログラムと同一のプログラムに対応する画像であって、操作されることにより当該プログラムを起動するための画像を表示画面に表示し、且つ、当該表示画面に表示された前記画像に対する操作を受け付け、前記制御部は、前記表示入力部が前記画像に対して操作を受け付けた場合、当該操作を受け付けた前記画像に対応する当該プログラムを起動し、且つ、前記通信部に、前記他のウェアラブル端末に対して当該プログラムに紐付けられている特定情報を送信させる。
【０１１６】
これにより、他のウェアラブル端末が認証された場合には、他のウェアラブル端末に記憶され、かつ、本態様のウェアラブル端末に記憶されているプログラム（アプリ）に対応する画像が表示されるので、ユーザは、表示された画像に対してタップなどの操作をするだけで、当該プログラムに紐付けられている特定情報を他のウェアラブル端末に送信することができる。つまり、本態様のウェアラブル端末を装着するユーザは、接続先である他のウェアラブル端末に送信（他のウェアラブル端末とやりとりまたは交換）できる情報をすぐに把握することができ、少ない操作で情報を送信することができる。
【０１１７】
このようにして、ウェアラブル端末を装着するユーザは自然且つ手間の少ない情報交換を他のウェアラブル端末を装着するユーザと行うことができるウェアラブル端末を実現することができる。
【０１１８】
ここで、例えば、さらに、身体に接続する身体接続部を備え、前記通信部は、前記身体接続部を介し、人体を通信媒体として利用する通信である人体通信によって、前記他のウェアラブル端末と通信する第１の通信部と、前記身体接続部を介さない無線通信によって、前記他のウェアラブル端末と通信する第２の通信部とを有し、前記認証部は、前記第１の通信部によって前記他のウェアラブル端末と前記人体通信が接続された場合、前記他のウェアラブル端末を認証するとしてもよい。
【０１１９】
これにより、人体通信を用いた接続が確立した場合に、本態様のウェアラブル端末および他のウェアラブル端末の認証を行うことができる。
【０１２０】
また、例えば、さらに、前記ウェアラブル端末に対する第１動作を検知する検知部を備え、前記通信部は、前記他のウェアラブル端末に対する第２動作を示す第２動作情報を受信し、前記認証部は、前記通信部で受信した前記第２動作情報により示される前記第２動作と前記検知部により検知された前記第１動作とが同一の動作であると判定した場合、前記他のウェアラブル端末を認証するとしてもよい。
【０１２１】
これにより、第１動作および第２動作として、お辞儀等の傾斜動作、ハグ動作、ハイタッチ動作、またはジェスチャー動作などの簡易な動作で、本態様のウェアラブル端末および他のウェアラブル端末の認証を行うことができる。
【０１２２】
（変形例）
上述した実施の形態では、ウェアラブル端末１０等は他のウェアラブル端末１１等に対して人体通信またはネットワークを介して、特定情報を送信するとして説明したが、それに限らない。ウェアラブル端末１０等は、Ｗｅｂサービスなどで提供される特定のサーバ（外部サーバ１４）を介して、特定情報を他のウェアラブル端末１１等に対して送信してもよい。
【０１２３】
この場合の例として、上述したウェアラブル端末１０Ａが、特定情報の送信を、人体通信を介さずに、外部サーバ１４を介して行う場合について、図１５を用いて説明する。本変形例のウェアラブル端末１０Ａおよび他のウェアラブル端末１１Ａは、第２の通信部１０４２によりwifiなどの無線通信ネットワークを介して外部サーバ１４と通信可能であるとして説明する。
【０１２４】
図１５は、本変形例に係るウェアラブル端末１０Ａの動作例を示すシーケンス図である。なお、図１２と同様の要素には同一の符号を付しており、詳細な説明は省略する。つまり、Ｓ１１〜Ｓ１５は、図１２で説明した通りであるので説明を省略する。
【０１２５】
Ｓ１５において、ウェアラブル端末１０Ａは、当該表示画面に表示された画像に対する操作を受け付けた場合には（Ｓ１５でＹＥＳ）、当該操作を受け付けた画像に対応する当該プログラムを起動し、当該プログラムに紐付けられている特定情報を他のウェアラブル端末１１Ａに対して送信する特定情報送信処理を実行する（Ｓ４６）。
【０１２６】
より詳細には、Ｓ４６において、まず、ウェアラブル端末１０Ａは、第２の通信部１０４２に、到達対象が他のウェアラブル端末１１Ａである旨の情報とともに特定情報の一部を外部サーバ１４に対して送信させる（Ｓ４６１）。すると、外部サーバ１４は、ウェアラブル端末１０Ａから送信された当該特定情報の一部を保持していることを、他のウェアラブル端末１１Ａに通知する（Ｓ４６２）。
【０１２７】
次いで、他のウェアラブル端末１１Ａは、自身の第２の通信部１０４２により外部サーバ１４にアクセスし、当該特定情報の一部を受信した場合、当該特定情報の残りの情報を受信することを承認するか否かを他のウェアラブル端末１１Ａのユーザに確認する（Ｓ４６３）。他のウェアラブル端末１１Ａのユーザが承認した場合（Ｓ４６３でＹＥＳ）、第２の通信部１０４２により外部サーバ１４に、他のウェアラブル端末１１Ａのユーザが承認した旨を示す承認情報を送信する（Ｓ４６４）。すると、外部サーバ１４は、他のウェアラブル端末１１Ａから承認情報を受信したことを、ウェアラブル端末１０Ａに通知する（Ｓ４６５）。
【０１２８】
次いで、ウェアラブル端末１０Ａは、第２の通信部１０４２に、到達対象が他のウェアラブル端末１１Ａである旨の情報とともに特定情報の残りの情報を外部サーバ１４に対して送信させる（Ｓ４６６）。すると、外部サーバ１４は、ウェアラブル端末１０Ａから送信された当該特定情報の残りの情報を保持していることを、他のウェアラブル端末１１Ａに通知する（Ｓ４６７）。
【０１２９】
そして、他のウェアラブル端末１１Ａは、自身の第２の通信部１０４２により外部サーバ１４にアクセスし、当該特定情報の残りの情報を受信する。
【０１３０】
このようにして、ウェアラブル端末１０Ａは、外部サーバ１４を介して、まず特定情報の一部を他のウェアラブル端末１１Ａに送信し、他のウェアラブル端末１１Ａのユーザの承認後にあらためて外部サーバ１４を介して特定情報の残りの情報を他のウェアラブル端末１１Ａに対して送信する。
【０１３１】
それにより、他のウェアラブル端末１１Ａのユーザは、特定情報の一部を取得後、特定情報の残りの情報の取得を承認可否により選択することができる。
【０１３２】
なお、上述した実施の形態における認証方法は一例にすぎず、これらの例に限られない。
【０１３３】
認証部１０２、１０２Ａ、１０２Ｂは、通信部１０４、１０４Ａ、１０４Ｂの通信手段を用いて他のウェアラブル端末１１とウェアラブル端末１０（自端末）の距離を検知してもよく、このとき、当該距離が所定距離（例えば１ｍ）以下となった場合に他のウェアラブル端末１１を認証してもよい。
【０１３４】
また、ウェアラブル端末１０、１０Ａ、１０Ｂ、他のウェアラブル端末１１、１１Ａ、１１Ｂは、ＧＰＳ（Grobal Positioning System）受信装置を備え、自端末の位置を測定可能であってもよい。このとき、ウェアラブル端末１０、１０Ａ、１０Ｂの認証部１０２、１０２Ａ、１０２Ｂは、通信部１０４、１０４Ａ、１０４Ｂを介して、他のウェアラブル端末１１、１１Ａ、１１Ｂから、当該他のウェアラブル端末１１、１１Ａ、１１Ｂの位置を表わす位置情報を受信してもよい。このとき、ウェアラブル端末１０、１０Ａ、１０Ｂの認証部１０２、１０２Ａ、１０２Ｂは、自身が備えるＧＰＳ受信装置が測定した自端末の位置と、他のウェアラブル端末１１、１１Ａ、１１Ｂから受信した位置情報の示す位置との間の距離が所定距離内であると判定した場合に、他のウェアラブル端末１１、１１Ａ、１１Ｂを認証するとしてもよい。すなわち、ウェアラブル端末１０、１０Ａ、１０Ｂと他のウェアラブル端末１１、１１Ａ、１１Ｂとの間の距離が所定距離内になった場合に、ウェアラブル端末１０、１０Ａ、１０Ｂは、他のウェアラブル端末１１、１１Ａ、１１Ｂを認証するとしてもよい。
【０１３５】
また、例えば、ウェアラブル端末１０、１０Ａ、１０Ｂ、他のウェアラブル端末１１、１１Ａ、１１Ｂは、それぞれ音を出力するスピーカーを備えていてもよい。さらに、検知部１０７は、音を検知するマイクを有していてもよい。検知部１０７がマイクを有しているとき、検知部１０７は、マイクを用いて他のウェアラブル端末１１、１１Ａ、１１Ｂのスピーカーから発せられる特定の音を検知し、検知した特定の音を示す情報をウェアラブル端末１０Ｂの認証部１０２Ｂへ送信するとしてもよい。認証部１０２Ｂは、検知部１０７から特定の音を示す情報を取得した場合に、他のウェアラブル端末１１、１１Ａ、１１Ｂを認証するとしてもよい。
【０１３６】
さらに、ウェアラブル端末１０Ｂの認証部１０２Ｂは、通信部１０４Ｂを介して、他のウェアラブル端末１１Ｂから、当該他のウェアラブル端末１１Ｂの検知部１０７が検知した音声を表わす音声情報を受信してもよい。このとき、ウェアラブル端末１０Ｂの認証部１０２Ｂは、自身が備える検知部１０７から取得した音声と、他のウェアラブル端末１１Ｂから受信した音声情報の示す音声とを比較し、これらが略同一の音声であると判定した場合に、他のウェアラブル端末１１Ｂを認証するとしてもよい。すなわち、ウェアラブル端末１０Ｂと他のウェアラブル端末１１Ｂとで同等の音を検知した場合に、ウェアラブル端末１０Ｂは、他のウェアラブル端末１１Ｂを認証するとしてもよい。
【０１３７】
また、例えば、ウェアラブル端末１０、１０Ａ、１０Ｂ、他のウェアラブル端末１１、１１Ａ、１１Ｂは、光を出力するライトを備えていてもよい。さらに、検知部１０７は、光を検知する光センサを有していてもよい。検知部１０７が光センサを有しているとき、検知部１０７は、光センサを用いて他のウェアラブル端末１１、１１Ａ、１１Ｂのライトから発せられる特定の光を検知し、検知した特定の光を示す情報をウェアラブル端末１０Ｂの認証部１０２Ｂへ送信するとしてもよい。認証部１０２Ｂは、検知部１０７から特定の光を示す情報を取得した場合に、他のウェアラブル端末１１、１１Ａ、１１Ｂを認証するとしてもよい。
【０１３８】
さらに、ウェアラブル端末１０Ｂの認証部１０２Ｂは、通信部１０４Ｂを介して、他のウェアラブル端末１１Ｂから、当該他のウェアラブル端末１１Ｂの検知部１０７が検知した光を表わす光検知情報を受信してもよい。このとき、ウェアラブル端末１０Ｂの認証部１０２Ｂは、自身が備える検知部１０７から取得した光と、他のウェアラブル端末１１Ｂから受信した光受信情報の示す光とを比較し、これらが略同一の光であると判定した場合に、他のウェアラブル端末１１Ｂを認証するとしてもよい。すなわち、ウェアラブル端末１０Ｂと他のウェアラブル端末１１Ｂとで同等の光を検知した場合に、ウェアラブル端末１０Ｂは、他のウェアラブル端末１１Ｂを認証するとしてもよい。
【０１３９】
なお、ウェアラブル端末１０Ｂと他のウェアラブル端末１１Ｂとで同等の光を検知したか否かを判断するために、光の波長、光の色、光の強度、光の明滅パターン、またはこれらの組み合わせを用いるとしてもよい。
【０１４０】
なお、ライトは表示入力部１０５に含まれてもよい。
【０１４１】
（他の実施の形態等）
上述した実施の形態は一例にすぎず、各種の変更、付加、省略等が可能であることは言うまでもない。
【０１４２】
なお、上述したウェアラブル端末１０等における制御部１０１等、通信部１０４等、および認証部１０２等の機能分担は任意であり、一方の機能の一部又は全部を他方が包含し得る。
【０１４３】
また、上述のウェアラブル端末１０等の動作手順の全部又は一部は、ウェアラブル端末１０等のハードウェアにより実現されても、ソフトウェアを用いて実現されてもよい。なお、ソフトウェアによる処理は、ウェアラブル端末１０等に含まれるプロセッサがメモリに記憶された制御プログラムを実行することにより実現されるものである。また、その制御プログラムを記録媒体に記録して頒布や流通させてもよい。例えば、頒布された制御プログラムを装置にインストールして、装置のプロセッサに実行させることで、その装置に、例えば上述したウェアラブル端末１０等の動作の全部又は一部を行わせることが可能となる。
【０１４４】
また、上述した実施の形態で示した構成要素および機能を任意に組み合わせることで実現される形態も本発明の範囲に含まれる。
【０１４５】
なお、本発明の包括的又は具体的な各種態様には、装置、システム、方法、集積回路、コンピュータプログラム、コンピュータで読み取り可能な記録媒体等の１つ又は複数の組み合わせが含まれる。
【０１４６】
その他、上記実施の形態に対して当業者が思い付く各種変形を施して得られる形態や、本発明の趣旨を逸脱しない範囲で各実施の形態における構成要素および機能を任意に組み合わせることで実現される形態も本発明に含まれる。
【産業上の利用可能性】
【０１４７】
本発明は、ウェアラブル端末、その通信方法およびプログラム等に利用でき、特に、人体通信やジェスチャー動作等の簡易な動作の検出手段を利用可能なユーザの身体の一部に装着可能なウェアラブル端末、その通信方法およびプログラム等に利用可能である。
【符号の説明】
【０１４８】
１０、１０Ａ、１０Ｂ  ウェアラブル端末
１１、１１Ａ、１１Ｂ  他のウェアラブル端末
１３  ネットワーク
１４  外部サーバ
１０１、１０１Ａ、１０１Ｂ  制御部
１０２、１０２Ａ、１０２Ｂ  認証部
１０３  記憶部
１０４、１０４Ａ、１０４Ｂ  通信部
１０５  表示入力部
１０６  身体接続部
１０７  検知部
１００１  入力装置
１００２  出力装置
１００３  ＣＰＵ
１００４  内蔵ストレージ
１００５  ＲＡＭ
１００７  読取装置
１００８  送受信装置
１００９  バス
１０４１  第１の通信部
１０４２  第２の通信部
１０５１、１０５２、１０５３、１０５４  アイコン
【図１】
0006568007.tif 000002
【図２】
0006568007.tif 000003
【図３】
0006568007.tif 000004
【図４】
0006568007.tif 000005
【図５】
0006568007.tif 000006
【図６】
0006568007.tif 000007
【図７Ａ】
0006568007.tif 000008
【図７Ｂ】
0006568007.tif 000009
【図８】
0006568007.tif 000010
【図９Ａ】
0006568007.tif 000011
【図９Ｂ】
0006568007.tif 000012
【図９Ｃ】
0006568007.tif 000013
【図９Ｄ】
0006568007.tif 000014
【図１０】
0006568007.tif 000015
【図１１】
0006568007.tif 000016
【図１２】
0006568007.tif 000017
【図１３】
0006568007.tif 000018
【図１４】
0006568007.tif 000019
【図１５】
0006568007.tif 000020